(57)【特許請求の範囲】
【請求項１】
荷台を軸支するパネルの下辺水平部材から軸孔付き軸受け片が突設され、荷台の側辺には、前記軸孔付き軸受け片に隣接する軸孔付き軸受け部が突設され、この軸孔付き軸受け部と前記軸孔付き軸受け片とにわたってピンが挿通されて、荷台が折り畳み可能に構成された荷運搬台車の荷台支持構造であって、前記軸孔付き軸受け部は、前記軸孔付き軸受け片を挟むように一対並設され、前記ピンは、一端に頭部が連設されたピン本体の他端に、頭部側の端がピン本体より大径で先端が先細り形の抜け止め用先端部が設けられたものであり、前記一対の軸孔付き軸受け部の内、ピン挿通方向上手側の軸受け部の軸孔と前記軸孔付き軸受け片の軸孔とは、前記ピンの抜け止め用先端部の最大径より大径であり、ピン挿通方向下手側の軸受け部における軸孔のピン挿通方向側の端部には、前記ピンの叩き込みにより前記抜け止め用先端部を通過させることができる小径部が設けられ、前記ピンのピン本体の全長は、ピン挿通方向上手側の軸受け部のピン入り口側端面からピン挿通方向下手側の軸受け部のピン出口側端面までの距離と同一か又はそれより長く構成されている、荷運搬台車の荷台支持構造。
【請求項２】
前記ピン挿通方向下手側の軸受け部の軸孔は、当該軸孔の全長にわたってピン挿通方向側ほど小径になるように先細り状に形成され、その最小径端が前記小径部を構成している、請求項１に記載の荷運搬台車の荷台支持構造。
【請求項３】
前記ピン挿通方向下手側の軸受け部の軸孔は、ピン挿通方向側の端部の軸心方向一定長さにわたって同一径に形成された前記小径部と、この小径部よりピン挿通方向上手側の全域において同一径に形成された大径部とから構成されている、請求項１に記載の荷運搬台車の荷台支持構造。
【請求項４】
前記ピン挿通方向下手側の軸受け部の軸孔は、ピン挿通方向側の端部の軸心方向一定長さにわたってピン挿通方向側ほど小径になるように先細り状に形成された先細り孔部と、この先細り孔部よりピン挿通方向上手側の全域において同一径に形成された大径部とから構成され、前記先細り孔部の最小径端が前記小径部を構成している、請求項１に記載の荷運搬台車の荷台支持構造。
【請求項５】
前記軸孔付き軸受け片は、パネルの下辺水平部材の切り起こしにより当該下辺水平部材から一体に連設され、前記一対の軸孔付き軸受け部は前記荷台の上面と面一に突設され、この軸孔付き軸受け片と一対の軸孔付き軸受け部とを挿通する前記ピンが、前記荷台の厚さの中央位置より上面側に配置されている、請求項１〜４の何れか１項に記載の荷運搬台車の荷台支持構造。
【発明の詳細な説明】
【技術分野】
【０００１】
本発明は、折り畳み可能に構成された荷運搬台車の荷台支持構造に関するものである。
【背景技術】
【０００２】
荷台の周囲（一般的には荷台の３側辺）にパネルが立設された荷運搬台車を折り畳み可能に構成する場合、荷台の後側辺に立設された背パネルの下辺水平部材に対して荷台を上下揺動自在に軸支し、荷台の左右両側辺に立設された左右両側パネルの内の一方、例えば右側パネルを背パネルに対して水平揺動自在に軸支し、水平の使用姿勢にある荷台の左右両側辺を左右両側パネルの下辺水平部材で支持させ、荷運搬台車を使用しないときは、荷台を背パネルの内側に沿って起立させるように折り畳むと共に、この荷台を背パネルとの間で挟むように右側パネルを内側水平に揺動させて、荷運搬台車を平面視でＬ字形に折り畳めるように構成することが知られている。この種の折り畳み可能に構成された荷運搬台車の荷台は、上記のように背パネルの下辺水平部材に上下揺動自在に軸支されるのであるが、従来のこの種の折り畳み可能な荷運搬台車における荷台の支持構造は、特許文献１に示されるように、背パネルの下辺水平部材に片持ち状に突設された支軸と荷台から突設された軸受け部とを、荷台の水平横移動により互いに嵌合させる構成か又は、特許文献２に示されるように、背パネルの下辺水平部材に突設された軸孔付き軸受け片と荷台から片持ち状に突設された支軸とを、荷台の水平横移動により互いに嵌合させる構成であった。
【特許文献１】実開昭５６−１４７７５号公報
【特許文献２】実公平３−９４９６号公報
【発明の開示】
【発明が解決しようとする課題】
【０００３】
上記のような特許文献に開示された従来の荷運搬台車の荷台支持構造では、荷台を軸支するのに大きくて重量物である当該荷台を水平横移動させる必要があり、しかも左右両側パネルが既に組み付けられた状態では荷台が組み付けられないので、通常は折り畳み可能な側の側パネルを組み付ける前の不安定な状態で荷台を組み付けることになる。そこで背パネル側に軸孔付き軸受け片を突設し、荷台側には、前記軸孔付き軸受け片に隣接する軸孔付き軸受け部を突設し、この軸孔付き軸受け部と前記軸孔付き軸受け片とにわたってピンを挿通することにより、荷台を上下揺動自在に軸支することが考えられるのであるが、この場合には、前記ピンに何らかの抜け止め手段を併用する必要があり、この抜け止め手段の取り付けのために荷台の組み付けに手間がかかるだけでなく、部品点数が多くなってコストアップを免れない。
【課題を解決するための手段】
【０００４】
本発明は上記のような従来の問題点を解消し得る荷運搬台車の荷台支持構造を提供することを目的とするものであって、その手段を後述する実施形態の参照符号を付して示すと、荷台２を軸支するパネル６の下辺水平部材１２から軸孔付き軸受け片２０が突設され、荷台２の側辺には、前記軸孔付き軸受け片２０に隣接する軸孔付き軸受け部２１ａが突設され、この軸孔付き軸受け部２１ａと前記軸孔付き軸受け片２０とにわたってピン２２が挿通されて、荷台２が折り畳み可能に構成された荷運搬台車の荷台支持構造であって、前記軸孔付き軸受け部は、前記軸孔付き軸受け片２０を挟むように一対（２１ａ，２１ｂ）並設され、前記ピン２２は、一端に頭部２７が連設されたピン本体２６の他端に、頭部２７側の端がピン本体２６より大径で先端が先細り形の抜け止め用先端部２８が設けられたものであり、前記一対の軸孔付き軸受け部２１ａ，２１ｂの内、ピン挿通方向上手側の軸受け部２１ａの軸孔２４と前記軸孔付き軸受け片２０の軸孔２３とは、前記ピン２２の抜け止め用先端部２８の最大径より大径であり、ピン挿通方向下手側の軸受け部２１ｂにおける軸孔２５のピン挿通方向側の端部には、前記ピン２２の叩き込みにより前記抜け止め用先端部２８を通過させることができる小径部２９が設けられ、前記ピン２２のピン本体２６の全長が、ピン挿通方向上手側の軸受け部２１ａのピン入り口側端面からピン挿通方向下手側の軸受け部２１ｂのピン出口側端面までの距離と同一か又はそれより長い構成となっている。
【０００５】
上記構成の本発明を実施するについて、具体的には請求項２に記載のように、前記ピン挿通方向下手側の軸受け部２１ｂの軸孔２５は、当該軸孔２５の全長にわたってピン挿通方向側ほど小径になるように先細り状に形成し、その最小径端が前記小径部２９を構成するように実施することができる。
【０００６】
又、請求項３に記載のように、前記ピン挿通方向下手側の軸受け部２１ｂの軸孔２５は、ピン挿通方向側の端部の軸心方向一定長さにわたって同一径に形成された前記小径部２９と、この小径部２９よりピン挿通方向上手側の全域において同一径に形成された大径部３０とから構成することができる。
【０００７】
更に、請求項４に記載のように、前記ピン挿通方向下手側の軸受け部２１ｂの軸孔２５は、ピン挿通方向側の端部の軸心方向一定長さにわたってピン挿通方向側ほど小径になるように先細り状に形成された先細り孔部３１と、この先細り孔部３１よりピン挿通方向上手側の全域において同一径に形成された大径部３２とから構成し、前記先細り孔部３１の最小径端が前記小径部２９を構成するように実施することができる。
【０００８】
又、請求項５に記載のように、前記軸孔付き軸受け片２０は、パネル６の下辺水平部材１２の切り起こしにより当該下辺水平部材１２から一体に連設し、前記一対の軸孔付き軸受け部２１ａ，２１ｂは前記荷台２の上面と面一に突設し、この軸孔付き軸受け片２０と一対の軸孔付き軸受け部２１ａ，２１ｂとを挿通する前記ピン２２が、前記荷台２の厚さの中央位置より上面側に配置されるように構成することができる。
【発明の効果】
【０００９】
上記構成の本発明に係る荷運搬台車の荷台支持構造によれば、荷台の組み付けに際しては、荷台側の一対の軸孔付き軸受け部間にパネル側の軸孔付き軸受け片が入り込むように、荷台の一対の軸孔付き軸受け部を備えた一側辺をパネルの軸孔付き軸受け片を備えた下辺水平部材側へ真上から降ろし、一対の軸孔付き軸受け部の軸孔と軸孔付き軸受け片の軸孔とがほぼ一致する状態でこれら軸孔に所定の方向からピンを抜け止め用先端部側からハンマーなどで叩き込むだけのワンタッチ操作により、荷台を上下揺動自在な軸支状態に組み付けることができる。従って、大きくて重量物である荷台を水平横方向に移動させる必要がなく、しかもピンとは別に当該ピンの抜け止め手段を併用する必要もないので、楽に且つ能率良く荷台の組み付けが行える。又、別部品としてはピンだけであって、ピン自体も可動部品から成る抜け止め手段を備えるものではなく、全体として部品点数も少なく、安価に実施することができる。
【００１０】
尚、本発明は、具体的には請求項２〜４に記載のように簡単に実施することができるのであるが、特に請求項２に記載の構成によれば、ピンの抜け止め用先端部の最大径と軸孔付き軸受け部の小径部の内径との径差を比較的大きくして抜け止め効果を高めるように構成しても、ピンの叩き込みによる軸孔付き軸受け部の小径部の傷みを少なくし、長期間にわたって確実な抜け止め効果が得られる。又、請求項３に記載の構成によれば、小径部を備えた軸孔の成形が比較的容易になる。
【００１１】
又、請求項５に記載のように、パネルの下辺水平部材の切り起こしにより軸孔付き軸受け片を当該下辺水平部材から一体に連設することが望ましいのであるが、この場合、支軸を溶接でパネルの下辺水平部材に取り付ける場合と異なり、軸孔付き軸受け片を下辺水平部材の側辺から内側へ十分に離して設ける必要があり、この結果、従来のようにピンの高さが荷台の厚さの中央位置付近にあると、上方に揺動させた荷台がパネルに当接してしまい、パネルとの間に余裕空間を確保した状態で荷台を垂直に起立させることができなくなるのであるが、請求項５に記載の構成によれば、このような問題点を解消しながら荷台上面レベルから軸孔付き軸受け部を突出させないで済む。
【発明を実施するための最良の形態】
【００１２】
以下に本発明の具体的実施例を添付図に基づいて説明すると、図１及び図２において、１は平面矩形の荷台２とその四隅下側に位置する移動用車輪３ａ〜３ｄとから成る荷台部であり、４，５は荷台部１の左右両側辺に立設された側パネルであり、６は荷台部１の後側辺に立設された背パネルである。各パネル４〜６は、門形枠材７〜９、この門形枠材７〜９の両側縦支柱部の下端間をつなぐ下辺水平部材１０〜１２、及び門形枠材７〜９と下辺水平部材１０〜１２とで囲まれた矩形空間内に格子状に架設された複数本の縦桟材１３と複数本の横桟材１４から構成されている。
【００１３】
図２に示すように、後側の左右一対の車輪３ａ，３ｂは背パネル６の下辺水平部材１２の両端下側に車輪取付座板１５ａ，１５ｂを介して取り付けられ、前側の左右一対の車輪３ｃ，３ｄは、左右両側パネル４，５の下辺水平部材１０，１１の前端下側に車輪取付座板１５ｃ，１５ｄを介して取り付けられ、荷台２は背パネル６の下辺水平部材１２に上下揺動自在に枢着され、左側パネル４は、背パネル６に対し略直角前方向きに取り付けられ、右側パネル５は、背パネル６に対し内側へ水平揺動自在に枢着されている。而して、この荷運搬台車を使用しないときは、荷台２を上方へ直角に起立させて背パネル６の内側に重ねるように折り畳み、その後、起立状態の荷台２を背パネル６との間で挟むように右側パネル５を内側へ折り畳んで、荷運搬台車全体を平面Ｌ形に変形させ、複数台の荷運搬台車を水平方向に入れ子式にネスティングすることができるように構成されている。
【００１４】
以下、背パネル６の下辺水平部材１２に対する荷台２の支持構造について詳細に説明すると、背パネル６の下辺水平部材１２には、他のパネル４，５の下辺水平部材１０，１１も同一であるが、垂直板部１６の下辺から水平板部１７が荷台２のある側に向かって延出するようにアングル材が使用され、図２に示すように、この下辺水平部材１２の水平板部１７の上側に荷台２の後側辺が左右一対のヒンジ１８，１９を介して上下揺動自在に軸支されている。
【００１５】
各ヒンジ１８，１９は同一構造のものであって、図３〜図６に示すように、下辺水平部材１２の水平板部１７に切り起こしにより一体に連設されて起立する軸受け片２０と、この軸受け片２０を左右両側から挟むように荷台２の後側辺から突設された一対の軸受け部２１ａ，２１ｂ、及びこれら軸受け片２０と一対の軸受け部２１ａ，２１ｂとにわたって挿通されたピン２２から構成されている。
【００１６】
尚、この荷運搬台車を平面Ｌ形に折り畳んだとき、右側パネル５の前端の車輪３ｄの車輪取付座板１５ｄの右側パネル５（下辺水平部材１１）より内側に張り出す部分が背パネル６の下辺水平部材１２の下側に入り込むことができなければならない。従って従来は、背パネル６の下辺水平部材１２の両端下側にシムプレートを介在させて車輪取付座板１５ａ，１５ｂを取り付けていたが、この実施形態では、図３に示すように背パネル６における下辺水平部材１２の水平板部１７の両端部１７ａ，１７ｂ、即ち、車輪取付座板１５ａ，１５ｂを取り付ける部分は、一段低くなるように成形し、この水平板部１７の両端部１７ａ，１７ｂの下側に車輪取付座板１５ａ，１５ｂを直接取り付けてシムプレートを省けるように構成している。
【００１７】
図３〜図６に示すように、各ヒンジ１８，１９の軸受け片２０は、下辺水平部材１２における水平板部１７の前端縁部上の所定位置に荷台２の後側辺を載置したとき、当該荷台２の後側辺垂直面２ａに前縁が接するように水平板部１７から起立するもので、その上端部に左右横向きの軸孔２３を備えている。一方、荷台２は補強用骨材（図示省略）を適宜内装された合成樹脂製のもので、その後側辺垂直面２ａから後方向きに前記軸受け片２０を左右両側から挟む一対の合成樹脂製の軸受け部２１ａ，２１ｂが、その上面が荷台上面２ｂと面一になるように一体に形成突設され、各軸受け部２１ａ，２１ｂには、前記軸受け片２０の軸孔２３と同心状に左右横向きに貫通する軸孔２４，２５が設けられている。
【００１８】
ピン２２は、ピン本体２６の一端に頭部２７が一体に連設されると共にピン本体２６の他端に抜け止め用先端部２８が一体に連設されたものである。この抜け止め用先端部２８は、頭部２７側の端がピン本体２６より大径で先端が先細り形のものである。図示の抜け止め用先端部２８は、軸方向一定長さにわたって同一径の大径部２８ａと先細り部２８ｂとから形成されたものであるが、大径部２８ａを無くし、最大径がピン本体２６より大径の先細り部２８ｂのみから成るものであっても良い。
【００１９】
一対の軸受け部２１ａ，２１ｂの内、ピン挿通方向上手側の軸受け部２１ａの軸孔２４と軸受け片２０の軸孔２３とは、前記ピン２２の抜け止め用先端部２８の最大径、即ち、大径部２８ａの直径より若干大径であり、ピン挿通方向下手側の軸受け部２１ｂの軸孔２５は、その全長にわたってピン挿通方向側ほど小径になる先細り状に構成されている。この全長が先細り状の軸孔２５は、そのピン入り口側（軸受け部２１ａのある側）の直径が前記軸受け部２１ａの軸孔２４の直径と等しく、ピン出口側の直径が前記ピン２２の抜け止め用先端部２８の最大径より若干小径（ピン本体２６の直径と同一か又はこれより若干小径）に形成され、この軸孔２５の前記ピン出口側端部、即ち、最小径端がピン２２の抜け止め用先端部２８と係合する小径部２９となっている。
【００２０】
上記構成によれば、背パネル６に対し左右両側パネル４，５が組み付けられ、当該左右両側パネル４，５が互いにほぼ平行な姿勢にあって、４つの車輪３ａ〜３ｄにより安定的に床面上で支持される状態において、荷台２を、その後側辺の軸受け部２１ａ，２１ｂ間に背パネル６側の軸受け片２０が入り込むと共に当該荷台２の後側辺垂直面２ａが背パネル６側の２つの軸受け片２０の前縁に当接するように、当該荷台２の左右両側辺と後側辺とを各パネル４〜６の下辺水平部材１０〜１２の水平板部１７上に載置支持させることができる。係る状態において、軸受け部２１ａの軸孔２４から軸受け片２０の軸孔２３を経由して軸受け部２１ｂの軸孔２５内に向けてピン２２を抜け止め用先端部２８の側から挿入する。而して、抜け止め用先端部２８が軸受け部２１ｂの先細り状軸孔２５の中間位置に達して、当該抜け止め用先端部２８の大径部２８ａが先細り状軸孔２５の内周面と圧接する状況になったとき、ピン２２の挿入に大きな摩擦抵抗が働くので、これ以降はハンマーなどでピン２２の頭部２７を打ち叩いてピン２２を更に叩き込むことにより、抜け止め用先端部２８で先細り状軸孔２５の内周面を拡径変形させながら当該軸孔出口の小径部２９から抜け止め用先端部２８を通過貫通させることができる。
【００２１】
ピン２２のピン本体２６の全長は、軸受け部２１ａのピン入り口側端面から軸受け部２１ｂのピン出口側端面までの距離と同一か又はそれより若干長い程度に構成されている。従って、上記のように叩き込まれたピン２２の抜け止め用先端部２８が先細り状軸孔２５のピン挿入方向側の端部の小径部２９を通過して軸受け部２１ｂを貫通したとき、頭部２７が軸受け部２１ａのピン入り口側端面に隣接する状態となり、このピン２２が逆方向（頭部２７側から抜き取る方向）に移動することは、ピン２２の抜け止め用先端部２８（大径部２８ａ）と先細り状軸孔２５のピン挿入方向側の端部の小径部２９との係合により阻止される。これにより背パネル６側の軸受け片２０とこれを挟む荷台２側の一対の軸受け部２１ａ，２１ｂとがピン２２により結合され、荷台２を上下揺動自在に軸支するヒンジ１８，１９として機能する。
【００２２】
尚、図６に示すように、背パネル６側の軸受け片２０を荷台２の上面２ｂと同一高さ程度まで高くすると共に荷台２側の軸受け部２１ａ，２１ｂもその上面が荷台２の上面２ｂと面一になるように構成して、ピン２２の位置を荷台２の厚さの中央位置よりできる限り高くしたので、荷台２をピン２２の周りで上方に回動させたとき、当該荷台２と背パネル６との間に余裕空間を確保しながら当該荷台２を垂直姿勢まで起立させることができる。
【００２３】
ピン挿通方向下手側の軸受け部２１ｂの軸孔２５の構成は、上記実施形態のものに限定されない。即ち、図７Ａに示すように、ピン挿通方向下手側の軸受け部２１ｂの軸孔２５は、ピン挿通方向側の端部の軸心方向一定長さにわたって同一径に形成された小径部２９と、この小径部２９よりピン挿通方向上手側の全域において同一径に形成された大径部３０とから構成することができる。
【００２４】
又、図７Ｂに示すように、前記ピン挿通方向下手側の軸受け部２１ｂの軸孔２５は、ピン挿通方向側の端部の軸心方向一定長さにわたってピン挿通方向側ほど小径になるように先細り状に形成された先細り孔部３１と、この先細り孔部３１よりピン挿通方向上手側の全域において同一径に形成された大径部３２とから構成し、前記先細り孔部３１の最小径端が前記小径部２９を構成するように実施することもできる
【図面の簡単な説明】
【００２５】
【図１】荷運搬台車の全体を示す斜視図である。
【図２】背パネルのみ横断面状態で示す平面図である。
【図３】背パネルの下半部を示す正面図である。
【図４】背パネルの横断平面図である。
【図５】Ａ図は背パネルと荷台とのヒンジ部（ピン省略）を分解状態で示す側面図、Ｂ図は同ヒンジ部（ピンを含む）を分解状態で示す一部横断平面図である。
【図６】背パネルと荷台とのヒンジ部を示す縦断側面図である。
【図７】Ａ図及びＢ図それぞれ、荷台側のヒンジ部の変形例を示す横断平面図である。
【符号の説明】
【００２６】
２    荷台
４，５    左右両側パネル
６    背パネル
１０〜１２    各パネルの下辺水平部材
１８，１９    荷台軸支用ヒンジ
２０    背パネル側の軸受け片
２１ａ，２１ｂ    荷台側の軸受け部
２２    ピン
２３〜２５    軸孔
２６    ピン本体
２７    ピンの頭部
２８    ピンの抜け止め用先端部
２８ａ    大径部
２８ｂ    先細り部
２９    軸孔の抜け止め用小径部
【図１】
0004654902.tif 000002
【図２】
0004654902.tif 000003
【図３】
0004654902.tif 000004
【図４】
0004654902.tif 000005
【図５】
0004654902.tif 000006
【図６】
0004654902.tif 000007
【図７】
0004654902.tif 000008